(57)【特許請求の範囲】
【請求項１】
筆記用具のためのモジュラー型芯送り機構（３）であって、筆記用具に受け入れ可能であり且つ筆記用具から取り外し自在の一体ユニットであり、芯ガイド（１４）と、該芯ガイドに連結され、筆記用具の芯室（６）から前記芯ガイドを通して芯を送る芯送り装置と、を含み、
前記芯ガイドが、筆記用具に受け入れられた状態で筆記用具の芯室（６）に対して作用する外側に伸びるフランジ（１７）を有し、かくして、筆記用具に受け入れられた状態において筆記用具の作動部品（５）からの力を芯室を介して芯送り装置に伝達させ、該芯送り装置を作動させ得るモジュラー型芯送り機構。
【請求項２】
芯送り装置を作動するための作動部品（５）は、筆記用具の一端に配置したボタンである請求項１に記載のモジュラー型芯送り機構。
【請求項３】
芯送り配置を内部に配置した外側スリーブ（１０）を有し、該外側スリーブは筆記中にモジュラー型芯送り機構を支持する表面を形成する外側に伸びる外側フランジ（１１）を有する請求項１に記載のモジュラー型芯送り機構。
【請求項４】
内部に別個の芯室（６）を有するバレル（２）にして、前記芯室に接続する状態で該バレルに配置した作動部品（５）と、バレルの開口部を形成する一端に着脱可能な部分（４）とを含むバレルを有するシャープペンシルであって、
前記バレル内に配設されたモジュラー型芯送り機構（３）にして、該モジュラー型芯送り機構と一体の芯ガイド（１４）を有し、前記部分（４）をバレルから取り外した状態で、前記バレルの開口部を形成する一端を通して１つのユニットとして挿入可能及び取り外し可能であり、前記バレル（２）の芯室（６）から芯ガイド（１４）内にペンシルの芯を送り、ついでシャープペンシルの先端から芯を送り出す芯送り装置と、前記作動部品（５）からの力をバレルの芯室を通して芯送り装置に伝達する芯ガイドとを有するモジュラー型芯送り機構を有するシャープペンシル。
【請求項５】
部分（４）は、シャープペンシルの前端に配設され、芯を送るための開口部を内部に有する請求項４に記載のシャープペンシル。
【請求項６】
作動部品（５）は、バレル部分と反対のバレル端部に配置されたボタンである請求項４に記載のシャープペンシル。
【請求項７】
モジュラー型芯送り機構は、芯送り装置が内部に配置される外側スリーブ（１０）を有し、該外側スリーブは外側に伸びる外側フランジ（１１）を有し、該外側フランジは、バレル内の表面と協働して該バレル内でモジュラー型芯送り機構を支持する請求項４に記載のシャープペンシル。
【請求項８】
芯ガイド（１４）は外側スリーブ内で摺動可能である請求項３に記載のモジュラー型芯送り機構。
【請求項９】
芯送り装置は、芯ガイド（１４）に一体的に固定されたクラッチ（１８）と、該クラッチの回りに配置されたクラッチバンド（１９）とを含み、外側スリーブの内部の内側スリーブ（２１）のネック部分（２５）と、芯ガイドとの間には、芯ガイドがクラッチ内に位置付けられたとき芯の周りにクラッチを締め付けさせるための弾性装置（２６）が、配設される請求項８に記載のモジュラー型芯送り機構。
【請求項１０】
弾性装置（２６）はコイルばねである請求項９に記載のモジュラー型芯送り機構。
【請求項１１】
外側スリーブの後方には端部キャップ（１３）が配置され、端部キャップと芯送り装置との間には、芯送り装置に対して後方に適用された力を吸収するための他の弾性装置（２７）が位置付けられる請求項９に記載のモジュラー型芯送り機構。
【請求項１２】
他の弾性装置（２７）はコイルばねである請求項１１に記載のモジュラー型芯送り機構。
【請求項１３】
外側スリーブ内を芯ガイドが摺動可能に可動である請求項３に記載のモジュラー型芯送り機構。
【発明の詳細な説明】
本発明は、筆記用具に関し、特にシャープペンシルの芯を送るモジュラー型芯送り機構に関する。
従来のシャープペンシルは、筆記用先端部分の反対側の端部でボタンを押すか、またはねじることによってユーザによってペンシルの芯を選択的に出し入れする機構を有する。このタイプの従来の機構に関する欠点は、例えば、０．５ｍｍまたは１ｍｍの特定の太さの芯しか使用できないことである。ユーザが異なる太さの芯を使用することができるようにユーザがペンシルを換えることができる簡単な装置はない。もしユーザがシャープペンシルで太さの異なる芯を選択しようとするならば、ユーザは機構を分解しなければならず、これは、わずらわしいものである。なぜならば、再び組み立てることは、種々のばね及び他の部品を正しい順序で組み立てなければならず、このような部品は、往々にして比較的小さいからである。
本発明によれば、シャープペンシルと一体的なユニットとしてモジューラ型芯送り機構が提供され、前記モジュラー型芯送り機構は、シャープペンシルの芯を送り出す芯送り装置と、芯送り装置を作動するためにペンシルの作動ボタンからの力を伝達する力伝達装置とを有する。
モジュラー型芯送り機構は、適当なペンシルの、このモジュラー型芯送り機構を受けるようになっているバレルに簡単に適合されるようになっている。緩みやすい部品はなく、ユーザは、異なる寸法の芯を使用することができるように容易にモジュールを変更することができる。
モジュラー型芯送り機構は、外側フランジを有する外側スリーブを有する。さらに外側スリーブは、モジュラー型芯送り機構の作動部品、例えば、種々のばね、芯フィードクラッチ等を含む。外側スリーブの外側フランジは、組み立てられたシャープペンシルのバレル内の表面と協働してシャープペンシルのバレル内でモジュラー型芯送り機構を支持する。
力伝達装置はペンシルの芯ガイドであり、これは外側スリーブから伸びており、外側スリーブ内で摺動可能に可動であり、モジュラー型芯送り機構のペンシル先端部とは反対の端部にフランジを有する。組み立てられたペンシルにおいて、外側フランジは、シャープペンシルの作動ボタンに接続されたフランジに接触する。
モジュラー型芯送り機構はシャープペンシルの芯を把持する芯フィードクラッチを有し、この芯フィードクラッチは芯ガイドに一体的に固定され、芯フィードクラッチの周りにはクラッチバンドが配置される。クラッチバンドと芯ガイドとの間には、芯の周囲に芯フィードクラッチを締め付ける弾性装置、例えば、圧縮コイルばねが設けられる。
クッションばねのような弾性装置が、筆記中か、またはモジュラー型芯送り機構を固定するシャープペンシルを筆記先端部分を下にして落とした場合の衝撃を吸収するように設けられる。
また、本発明は、上述したようなモジュラー型芯送り機構を有するシャープペンシル構造を有する。
モジュラー型芯送り機構が外側フランジを有する外側スリーブを有する場合には、シャープペンシル構造は、外側フランジを受ける内側の環状溝を有する。シャープペンシルはバレルに着脱可能に固定された筆記先端部分を有し、筆記先端部分は、モジュラー型芯送り機構を取り外すことができるように着脱可能である。
シャープペンシルは芯を送りまたは後退させるために押すまたはねじるボタンを有する。モジュラー型芯送り機構が芯ガイドを有する場合には、上部の前記ボタンを押すまたはねじると、モジュラー型芯送り機構内で芯ガイドが押される。
本発明の一例として、添付図面を参照して説明する。
第１図は、シャープペンシルの断面構造である。
第２図は、本発明のモジュラー型芯送り機構をさらに詳細に示す第１図のシャープペンシルの筆記先端部分の断面図である。
第３図は、芯が太いペンシル構成におけるモジュラー型芯送り機構の、第１図及び第２図の構造と同様の断面図である。
第１図及び第２図及び第３図は、直径０．２ｍｍ及び２ｍｍの芯を有するシャープペンシルのモジュラー型芯送り機構を示すものである。これらのモジュラー型芯送り機構は多くの点において非常に類似しており、次の説明は、参考例が異なるという点を除き、各モジュラー型芯送り機構に適用される。
シャープペンシル１は図示したようなバレル２を有し、このバレル２は、互いにねじを有する下方部分２ａ及び上方部分２ｂからなる。モジュラー型芯送り機構３は、下方バレル部分２ａ内に収容される。図示するように、ペンシル１は、下方バレル部分２ａの下端にねじこまれる円錐形の筆記先端部分４を有する。ペンシル１の他端には、ボタン５が芯室６に接続され、この芯室６は、上方バレル部分２ｂ内に収容される。芯室６は、ボタン５の反対側に外側フランジ７を有する（第２図参照）。弱い圧縮ばね８は芯室フランジ７と上方バレル部分２ｂ内の管状ステップ９との間で機能するように配置されている。
モジュラー型芯送り機構３は外側スリーブ１０を有する。外側スリーブ１０は外側フランジ１１を備えており、外側フランジ１１は、組み立てられたペンシル１において、円錐形の筆記先端部４によって下方バレル部分２ｂのステップ１２に係合されている。外側スリーブ１０は、その一端に配置されたキャップ１３を有している。芯ガイド１４は、その前方部分が外側スリーブ１０内で摺動可能であり、後方部分はキャップ１３の開口部１５を通ってモジュラー型芯送り機構の後方に伸びている。芯ガイド１４の後端は一部が外側に広がっており、フランジ１７で終結している。モジュラー型芯送り機構３がペンシル１に固定されるとき、芯ガイド１４のフランジ１７は芯室６の外側フランジ７に対して作用する。フランジ７，１７は、弱い圧縮ばね８によって押される。
外側スリーブ１０のモジュラー型芯送り機構内において、芯ガイド１４の端部はスリーブ１０の反対側先端から伸びている芯フィードクラッチ１８にしっかりと固定される。芯フィードクラッチ１８は、その最前端で外側に広がっている。外側スリーブ１０にはクラッチバンド１９が固定されており、クラッチバンド１９は、芯フィードクラッチ１８が摺動する中央開口部２０を有する。クラッチバンドの開口部２０の前端は芯フィードクラッチ１８の広がった開放端部を受けるために広がるか、円錐形になっている。
内側スリーブ２１は外側スリーブ１０内に固定されており、芯フィードクラッチ１８の周りに配置されている。内側スリーブ２１は、後端において中央に開口部を備えた端壁２２を有し、その寸法は、芯ガイド１４が通過することができる寸法である。芯ガイド１４は、前端に外側フランジ２４を有し、外側フランジ２４は、内側スリーブ２１に配置された端壁２２の背後に保持され、かくして芯ガイド１４が内側スリーブ２１から完全に外側に通過するのを防止する。内側スリーブ２１の前端にはネック部分２５が形成される。ネック部分２５は芯フィードクラッチ１８と摺動するように接触する。ネック部分２５自身はクラッチバンドに当接している。圧縮コイルばねであるクラッチばね２６は、芯ガイド１４を後方に、外側スリーブ１０の外側に押すように内側スリーブ２１のネック部分２５と芯ガイド１４の外側フランジ２４との間で作動する。
さらに内側スリーブ２１内に収容されたクラッチばね２６より弱い圧縮コイルばねであるクッションばね２７がキャップ１３と内側スリーブ２１の端壁２２との間で作動する。
ペンシルの芯２８の直径が０．２ｍｍである第２図に示すモジュラー型芯送り機構３においては、外側スリーブ１０は、組み立てられたペンシル１の円錐形の筆記先端部分４の開放端部を通って突出する延長部２９を有する。ゴム製のグリッパ３１が外側スリーブ１０の延長部２９内に固定され、このゴム製のグリッパ３１は、ペンシルの芯が摺動適合する貫通孔３２を有する。
しかしながら、直径２ｍｍの太い芯を有する第３図に示すモジュラー型芯送り機構の例においては、延長部２９と、密接した適合芯ガイド３０及びゴム製のグリッパ３１は必要なく、従って存在しない。貫通孔３４を有するゴム製のグリッパ３３のみが、大きな直径のペンシルの芯を把持するために円錐形の筆記先端部４に設けられている。
ゴム製のグリッパ３３は細い芯を使用するペンシル構成及び太い芯を使用するペンシル構成の双方において設けられている。しかしながら、太い芯が使用されるとき、延長部２９と、密着した適合芯ガイド３０と、グリッパ３１とは無くすことができ、ペンシルの芯が移動する円錐形の筆記先端部分４の貫通穴の直径は、直径の大きな芯を保持することができるものであることが好ましい。
動作において、ユーザは、芯ガイド１４を前方に押し、芯フィードクラッチ１８を前方に押すボタン５を押す。またこの動作はクラッチバンド１９を前方に送る傾向がある。芯が比較的細いペンシル構成の場合の第２図に示すモジュラー型芯送り機構において、クラッチバンド１９は、その動きが外側スリーブ１０の延長部２９内に形成された段部によって停止されるまで移動する。第３図に示す、比較的芯が太いペンシル構成に関する機構に関して、クラッチバンド１９の動きは、クラッチバンド１９と円錐形の筆記先端部分４を備えた段部３７との係合によって停止される。
クラッチバンド１９が延長部２９の段部３６と円錐形の筆記先端部分４の段部３７のいずれかによって停止された後、ボタン５を押圧することによって芯フィードクラッチ１８をクラッチバンド１９から押出し、ペンシルの芯２８を把持している芯フィードクラッチ１８を解放させる。動作のこの時点において、ペンシルの芯が筆記先端部分から出る。
ボタンが解放されるとき、クラッチばね２６が芯ガイド１４を後方に押し、ボタンを元の休止位置に戻す。これは、クラッチを後方に搬送するが、同時にペンシルの芯２８は、細い芯の場合は延長部２９のグリッパ３１によって、または太い芯の場合は先端部分４のグリッパ３３によって把持される。芯フィードクラッチ１８は、後方に移動するとクラッチバンド１９をピックアップして芯フィードクラッチ１８でペンシルの芯２８の周りを締め付け、筆記中の芯の移動を防止する。クッションばね２７は、書いている間に衝撃を吸収してシャープペンシルの芯２８が芯フィードクラッチ（１８）内で後退するのを防止する。なぜならば、クッションばね２７は内側スリーブ２１及び芯フィードクラッチ１８をわずかに後方に移動させることができるからである。またクッションばね２７は、筆記中に芯が出たままシャープペンシルを落としたときの衝撃を吸収する。芯室６のフランジ７に対して作用する圧縮ばね８は、フランジ７及び１７を一緒に保持するように作用する。
異なる直径を有するペンシルの芯に対応するために１つのモジュラー型芯送り機構３を変化させるためには、ユーザは単にバレル２の下方部分２ａから円錐形の筆記先端部分４を外し、スリーブ１０上の外側フランジ１１を外せばよいだけである。モジュラー型芯送り機構３全体は一体的なユニットとして取り外すことができる。なぜならば、芯フィードクラッチ１８と、内側スリーブ２１と、クラッチばね２６と、クッションばね２７とは、外側スリーブ１０及びキャップ１３内に収容されているからである。同様に、弱い圧縮ばね８は芯室６のフランジ７によってペンシルバレル２内に保持されている。従って、芯を換える過程において、ユーザが取り扱う小さく、ゆるみやすい部品はないことが明らかである。新しいモジュラー型芯送り機構は下方のバレル部分２ａに簡単に挿入することができ、下方のバレル部分２ａ内のフランジ１１に対して円錐形の筆記先端部分をねじることによって装着される。
本発明の精神及び範囲内で変形及び変更がなされるのは明らかであるが、それは請求の範囲によってのみ制限されるものである。
【図１】
0003938791.tif 000002
【図２】
0003938791.tif 000003
【図３】
0003938791.tif 000004